(57)【特許請求の範囲】
【請求項１】
本体と、この本体に開閉可能に取付けられた扉と、に取付けられる耐震ラッチにおいて、
前記本体側に設けられた受け部と、
前記扉に設けられ前記受け部に係止されて扉を閉止状態でロックするラッチと、
前記ラッチを前記受け部側へ付勢する付勢手段と、
前記ラッチに設けられたガイド体と、
前記扉に取付られ押し引き可能な操作部材と、
前記操作部材に、互いに反対方向に傾斜することで操作部材の押し引き方向と直交する方向から透視してＸ字状になるように形成され、操作部材の押し引き操作によって前記ラッチが前記受け部から離れる方向へガイド体を摺動させるカム手段と、
を有することを特徴とする耐震ラッチ。
【請求項２】
本体と、この本体に開閉可能に取付けられた扉と、に取付けられる耐震ラッチにおいて、
前記本体側に設けられた受け部と、
前記扉に設けられ前記受け部に係止されて扉を閉止状態でロックするラッチと、
前記ラッチを前記受け部側へ付勢する付勢手段と、
前記扉に取付られ押し引き可能な操作部材と、
前記操作部材に設けられたガイド体と、
前記ラッチに、互いに反対方向に傾斜することで操作部材の押し引き方向と直交する方向から透視してＸ字状になるように形成され、操作部材の押し引き操作によってガイド体と摺動し前記ラッチが前記受け部から離れる方向へ移動させるカム手段と、を有することを特徴とする耐震ラッチ。
【請求項３】
前記本体に設けられ前記受け部との係止状態が解除された前記ラッチと当接しラッチを扉の開放方向へ押出す押出し手段が設けられたことを特徴とする請求項１又は請求項２に記載の耐震ラッチ。
【請求項４】
前記ラッチと前記押出し手段との当接面にラッチと押出し手段とを係合させる係合手段が設けられたことを特徴とする請求項３に記載の耐震ラッチ。
【発明の詳細な説明】
【０００１】
【発明の属する技術分野】
本発明は、扉等に配設され振動によって扉のロック状態を不用意に解除させない耐震ラッチに関する。
【０００２】
【従来の技術】
地震時に、キッチンの扉等が不用意に開放し、食器等が落ちてこないように、振動によってロック状態を容易に解除しない耐震ラッチが商品化されている。
【０００３】
この耐震ラッチは、一般にばねの付勢力でロック状態が維持されるようになっており、扉側に設けられた操作部材を押し、あるいは引くことによって、ラッチのロック状態を解除するようになっている。
【０００４】
しかしながら、操作部材の操作方向が一方向であると、地震によってラッチ機構の一部が損傷した場合、操作部材が動かず扉を開放できない場合も考えられる。
【０００５】
【発明が解決しようとする課題】
本発明は係る事実を考慮し、プッシュ操作でもプル操作でも扉のロック状態を解除できる耐震ラッチを提供することを目的とする。
【０００６】
【課題を解決するための手段】
請求項１に記載の耐震ラッチでは、本体側に設けられた受け部に、扉に設けられたラッチが係止され、扉を閉止状態でロックするようになっている。
【０００７】
このとき、ラッチは付勢手段によって受け部側へ付勢されているので、地震等によって受け部との係止状態が不用意に解除されることがない。
【０００８】
ここで、扉を開放するときは、操作部材を押すか又は引くと、操作部材のカム手段によってガイド体が摺動して、ラッチが受け部から離れ受け部との係止状態が解除される。
【０００９】
このように、操作部材の操作方向が２方向（押すか引くか）であるため、地震等によって機構の一部が破損しても、少なくとも一方向へ操作部材を操作できれば、扉のロック状態を解除することができる。しかも、カム手段は互いに反対方向に傾斜することで操作部材の押し引き方向と直交する方向から透視してＸ字状になるように形成されているので、操作部材の長さを短くできる。
【００１０】
請求項２に記載の耐震ラッチでは、操作部材にガイド体が、ラッチにカム手段が形成されており、これによって、請求項１と同様な機能を発揮する。
【００１１】
請求項３に記載の耐震ラッチでは、本体に設けられた押出し手段が、受け部との係止状態が解除されたラッチを扉開放方向へ押し出すので、扉が自動的に開放する。
【００１２】
請求項４に記載の耐震ラッチでは、係合手段によって、ラッチと押出し手段とが係合されるため、滑ることなくラッチが確実に押出し手段で押し出される。
【００１３】
【発明の実施の形態】
まず、本発明の実施の形態の前提となる参考例について説明する。図１〜図４に示すように、本発明の第１の実施の形態の参考例に係る耐震ラッチは、キッチン１０の収納庫１２を覆う扉１４に設けられている。
【００１４】
扉１４の表側には、ハンドル１６が取付けられており、このハンドル１６を持って観音開に扉１４を開放できるようになっている。また、扉１４には、ハンドル１６と隣接して耐震ラッチ１８を構成する操作ボタン２０が配設されている。この操作ボタン２０は、略円柱形の棒体で、扉１４に穿設された挿入孔２２にスライド可能に挿入されている。
【００１５】
一方、扉１４の裏側には、挿入孔２２を覆うようにケース２４がビス２６で取付けられている。このケース２４の側壁には、ガイド孔２８が穿設されている。このガイド孔２８には、操作ボタン２０の先端に形成されたガイド部３０が挿入され、操作ボタン２０をスライド可能に保持している。
【００１６】
また、ケース２４の扉１４側の開口を覆うように、カバー３２が取付けられている。このカバー３２の立面には、扉１４の挿入孔２２から挿入された操作ボタン２０が貫通する貫通孔３４が形成されている。さらに、カバー３２には、貫通孔３４と連通する案内部３６が形成されている。
【００１７】
一方、操作ボタン２０の上面には、左肩上がりに傾斜する溝壁３８と、右肩上がりに傾斜する溝壁４０とを備えたＶ字状のカム溝４２が形成されている。この溝壁３８の延長上にある角部３８Ａが案内部３６の立面３６Ａへ当接し、操作ボタン２０の引出し量を制限し、また、溝壁４０の延長上にある角部４０Ａがガイド孔２８の孔周縁と当接し、操作ボタン２０の押込み量を制限するようになっている。
【００１８】
また、ケース２４とカバー３２とで構成された中空部４４には、上下にスライド可能にラッチ４６が収納されている。このラッチ４６には、下方から直立しカム溝４２を跨ぐように横方向へ張り出すノブ４８が形成されている。このノブ４８の下端は、溝壁３８、４０と面して摺動できるように、三角状に加工されており、操作ボタン２０がスライドすると、ラッチ４６を上方に押し上げるようになっている。
【００１９】
また、ノブ４８の上面にはボッチ４９が突設されており、ケース２４内に配設されたスプリング５０の下端を係止している。このスプリング５０によって、ラッチ４６が下方へ付勢されている。このとき、ラッチ４６の下端から突設された突片５２が、カバー３２の段部５４に当たって、ラッチ４６がケース２４から抜け出さないようになっている。
【００２０】
さらに、ラッチ４６の下端には、直立する係止面５６Ａと右肩上がりに傾斜するガイド面５６Ｂとを備えた爪５６が形成されている。この爪５６が、収納庫１２の底板５８に取付けられた受け具６０の係止壁６２に係止され、扉１４を閉止状態でロックするようになっている。
【００２１】
また、受け具６０には、蹴り出しボタン６４をスライド可能に収納する収納部６６が設けられている。蹴り出しボタン６４は、筒状とされており、内部にスプリング６８が挿入されている。このスプリング６８の他端は、この収納部６６の底壁６６Ａから突設された柱７０へ挿通され、底壁６６Ａに当たっている。このスプリング６８によって、蹴り出しボタン６４が爪５６の方向に付勢される。
【００２２】
さらに、蹴り出しボタン６４の外壁には、突起７２が突設されている。この突起７２は、収納部６６に形成されたガイド溝７４に沿って移動し、ガイド溝７４の終端に当たって、蹴り出しボタン６４の移動を制限するようになっている。
【００２３】
一方、蹴り出しボタン６４の先端には、横溝７６が形成されている。この横溝７６の下方には、爪５６のガイド面５６Ｂ側から突設された突片７８を横溝７６に案内する滑らかに湾曲したガイド面６４Ａが形成されている。これによって、ラッチ４６が上方に移動すると、突片７８がガイド面６４Ａに案内され、横溝７６と係合し、ラッチ４６の上方向への移動を一時的に制止するようになっている。
【００２４】
次に、本参考例に係る耐震ラッチ１８の作用を説明する。
図４に示すように、扉１４が閉まっているとき、ラッチ４６がスプリング５０に付勢され、ノブ４８がカム溝４２の底部に位置している。このとき、ラッチ４６の爪５６の係止面５６Ａと、係止壁６２の係止面６２Ａとが当接し、扉１４を閉止状態でロックする。このように、ラッチ４６はスプリング５０によって係止壁６２側へ付勢されているので、地震等によって係止壁６２と爪５６との係止状態が不用意に解除されることがない。
【００２５】
ここで、図５に示すように、操作ボタン２０をプッシュすると（矢印Ａ方向）、スプリング５０の付勢力に抗して、ノブ４８が溝壁３８に押し上げられ、ラッチ４６を上方へ引き上げる。これによって、爪５６の係止面５６Ａが係止壁６２の係止面６２Ａから離れ、次に、突片７８が蹴り出しボタン６４のガイド面６４Ａに案内され横溝７６と係合する。ここで、スプリング６８が蹴り出しボタン６４を押し出し、ラッチ４６を蹴り出して、扉１４を自動的に開放させる。
【００２６】
一方、図６に示すように、操作ボタン２０を引っ張ると、スプリング５０の付勢力に抗して、ノブ４８が溝壁４０に押し上げられ、ラッチ４６を上方へ引き上げる。これによって、爪５６の係止面５６Ａが係止壁６２の係止面６２Ａから離れると同時に、操作ボタン２０が引っ張られているので、扉１４が開放する。
【００２７】
このように、本参考例の耐震ラッチ４６では、扉１４を開放するときは、操作ボタン２０を押すか又は引くことで、扉１４のロック状態が解除されるので、例えば、地震等によって操作ボタン２０を押すことができないような状態であっても、操作ボタン２０を引けば、扉１４のロック状態を解除することができる。
【００２８】
また、開放された扉１４を閉じると、図７に示すように、爪５６の傾斜面５６Ｂが係止壁６２の案内面６２Ｂにガイドされ、ラッチ４６を上方に押し上げる。さらに、扉１４を閉じると、図８に示すように、爪５６が係止壁６２を通過する。ここで、スプリング５０がラッチ４６を押し下げ、図４に示すように、ノブ４８がカム溝４２の底部に位置し、爪５６の係止面５６Ａが係止壁６２の係止面６２Ａとが当接し、扉１４を閉止状態でロックする。
【００２９】
なお、本参考例では、扉１４にハンドル１６を取付けたが、操作ボタン２０を押したときは、蹴り出しボタン６４によって扉１４が開放されるので、ハンドル１６を省くこともできる。また、蹴り出しボタン６４を設けなくても、操作ボタン２０を押すか又は引くことで、扉１４のロック状態が解除できることは無論である。
【００３０】
さらに、カム溝４２をラッチ４６側に溝面を下方に向けて形成し、ノブ４８を操作ボタン２０側に設けても、操作ボタン２０の操作で扉１４のロック状態を解除できる。
【００３１】
図９及び図１０には、本発明の第１の実施の形態に係る耐震ラッチが示されている。
【００３２】
この耐震ラッチも、第１の実施の形態の参考例に係る耐震ラッチと同様、扉１４に設けられる。
【００３３】
扉１４に穿設された挿入孔２２には、キャップ８０が取り付けられており、このキャップ８０に、操作ボタン８２がスライド可能に挿入されている。
【００３４】
また、ケース８４の側壁からは、平行な一対の支持板８６、８８がケース８４の内側に向けて突設されており、これら支持板８６、８８の間に、操作ボタン８２の一端に形成されたガイド部９０がスライド可能に支持されている。ガイド部９０の上部には一対の突壁９２が形成されており、この突壁９２が、上側の支持板８６の両側面を挟んで、操作ボタン８２の横ズレ（図１０において紙面と垂直方向のズレ）を防止している。
【００３５】
操作ボタン８２の軸部を貫通する長孔９４には、ケース８４の側壁に形成された孔９６を通して、ビス９８が挿通されている。ビス９８の先端は操作ボタン８２の他端側から突出している。このビス９８の先端には、円筒状で有底の押しカバー１００がねじ込まれて取付けられており、この押しカバー１００を押して、操作ボタン８２をスライドさせるようになっている。
【００３６】
ガイド部９０の側壁の一方には、左肩上がりに傾斜するカム壁１０２が形成され、ガイド部９０の側壁の他方には、右肩上がりに傾斜するカム壁１０４が形成されている。すなわち、ガイド部９０を側方から透視すると、カム壁１０２とカム壁１０４とがＸ字状に重なり合うＸカムになっている。
【００３７】
ケース８４とカバー１０６とで構成された中空部１０７には、略長方形状の枠体１０９を有するラッチ１０８が、上下にスライド可能に収納されている。枠体１０９の一方の側壁の内面には、カム壁１０２と面して摺動する左肩上がりのガイド壁１１０が形成されている。また、枠体１０９の他方の側壁の内面には、カム壁１０４と面して摺動する右肩上がりのガイド壁１１２が形成されている。すなわち、枠体１０９を側方から透視すると、ガイド壁１１０とガイド壁１１２とがＸ字状に重なり合うＸカムになっている。
【００３８】
また、操作ボタン８２のガイド部９０は、枠体１０９の中に収容されるようになっている。操作ボタン８２がスライドすると、ガイド壁１１０がカム壁１０２に摺動され、あるいはガイド壁１１２がカム壁１０４に摺動されて、ラッチ１０８が上方に押し上げられるようになっている。
【００３９】
ラッチ１０８の上面のボッチ１１４には、スプリング１１６の下端が係止されている。このスプリング１１６は、ラッチ１０８を下方に付勢している。
【００４０】
ラッチ１０８の下端には、直立する係止面１１８Ａと右肩上がりに傾斜するガイド面１１８Ｂを備えた爪１１８が形成されている。一方、収納庫１２（図１参照）の底板５８に取付けられた受け具１２０には、直立する係止面１２１Ａと、右肩上がりに傾斜する案内面１２１Ｂを備えた爪１２１が形成されている。爪１１８の係止面１１８Ａが、受け具１２０の係止面１２１Ａに係止されて、扉１４を閉止状態でロックするようになっている。
【００４１】
次に、第１の実施の形態に係る耐震ラッチの作用を説明する。
図１０に示すように、扉１４が閉まっているとき、ラッチ１０８がスプリング１１６に付勢され、カム壁１０２がガイド壁１１０と、カム壁１０４がガイド壁１１２と、ずれることなくそれぞれ接している。このとき、爪１１８の係止面１１８Ａが爪１２１の係止面１２１Ａに係止され、扉１４を閉止状態でロックする。
【００４２】
ここで、図１１に示すように、押しカバー１００を押して操作ボタン８２をスライドさせると（矢印Ｃ方向）、スプリング１１６の付勢力に抗して、ガイド壁１１０がカム壁１０２に押し上げられ、ラッチ１０８を上方へ引き上げる。これによって、爪１１８の係止面１１８Ａが爪１２１の係止面１２１Ａから離れ、扉１４を開放可能となる。
【００４３】
一方、図１２に示すように、押しカバー１００を引っ張って操作ボタン８２をスライドさせると（矢印Ｄ方向）、スプリング１１６の付勢力に抗して、ガイド壁１１２がカム壁１０４に押し上げられ、ラッチ１０８を上方へ押し上げる。これによって、爪１１８の係止面１１８Ａが係止面１２１Ａの係止面１１８Ａから離れ、扉１４を開放可能となる。
【００４４】
また、開放された扉１４を閉じると、爪１１８のガイド面１１８Ｂが爪１２１の案内面１２１Ｂにガイドされ、スプリング１１６の付勢力に抗して、ラッチ１０８を上方に押し上げる。さらに扉１４を閉じると、図１３に示すように、爪１１８が係止面１２１Ａを通過する。ここで、スプリング１１６がラッチ１０８を押し下げて、図１０に示すように、扉１４がロックされる。
【００４５】
このように、第１の実施の形態に係る耐震ラッチにおいても、操作ボタン８２を押すか又は引くことで、扉１４のロック状態を解除できる。
【００４６】
また、操作ボタン８２のガイド部９０の側壁の両側に、側方から透視して重なり合うＸカムとなるようにカム壁１０２、１０４を形成している。これにより、第１の実施の形態の参考例に係る耐震ラッチと比較して、操作ボタン８２の長さを短くできる。このため、ケース８４を小さくすることができるので、ケース８４の取付けスペースが制約を受けない。また、収納庫１２内を広く使うことができる。
【００４７】
また、挿入孔２２にキャップ８０が取り付けてられており、このキャップ８０に操作ボタン８２がスライド可能に挿入されているので、操作ボタン８２と挿入孔２２との間に隙間があってもこの隙間が埋められ、操作ボタン８２がブレることなくスライドする。
【００４８】
押しカバー１００を取り外し、これに代わって、例えば円筒状のカラーを挿入した後、引っ張り操作用のレバーを取り付けることによって、押しカバー１００比較して、引っ張り操作をより容易に行うことができるようになる。
【００４９】
さらに、ビス９８又はカラーの長さを調整することで、扉１４の厚みに対応することができる。
【００５０】
【発明の効果】
本発明は上記構成としたので、プッシュ操作でもプル操作でも扉のロック状態を解除できる。
【図面の簡単な説明】
【図１】  本発明の第１の実施の形態の参考例に係る耐震ラッチが設けられた扉の閉止状態を示した斜視図である。
【図２】  本発明の第１の実施の形態の参考例に係る耐震ラッチが設けられた扉の開放状態を示した斜視図である。
【図３】  本発明の第１の実施の形態の参考例に係る耐震ラッチの分解斜視図である。
【図４】  本発明の第１の実施の形態の参考例に係る耐震ラッチの作動状態を示した断面図である。
【図５】  本発明の第１の実施の形態の参考例に係る耐震ラッチの作動状態を示した断面図である。
【図６】  本発明の第１の実施の形態の参考例に係る耐震ラッチの作動状態を示した断面図である。
【図７】  本発明の第１の実施の形態の参考例に係る耐震ラッチの作動状態を示した断面図である。
【図８】  本発明の第１の実施の形態の参考例に係る耐震ラッチの作動状態を示した断面図である。
【図９】  本発明の第１の実施の形態に係る耐震ラッチの分解斜視図である。
【図１０】  本発明の第１の実施の形態に係る耐震ラッチの作動状態を示した断面図である。
【図１１】  本発明の第１の実施の形態に係る耐震ラッチの作動状態を示した断面図である。
【図１２】  本発明の第１の実施の形態に係る耐震ラッチの作動状態を示した断面図である。
【図１３】  本発明の第１の実施の形態に係る耐震ラッチの作動状態を示した断面図である。
【符号の説明】
２０      操作ボタン（操作部材）
４２      カム溝（カム手段）
４６      ラッチ
４８      ノブ（ガイド体）
５０      スプリング（付勢手段）
６２      係止壁（受け部）
６４      蹴り出しボタン（押出し手段）
７６      横溝（係合手段）
７８      突片（係合手段）
８２      操作ボタン（操作部材）
１０２    ガイド壁（ガイド体）
１０４    ガイド壁（ガイド体）
１０８    ラッチ
１１０    カム壁（カム手段）
１１２    カム壁（カム手段）
１１６    スプリング（付勢手段）
１２１Ａ  係止面（受け部）
【図１】
0003691566.tif 000002
【図２】
0003691566.tif 000003
【図３】
0003691566.tif 000004
【図４】
0003691566.tif 000005
【図５】
0003691566.tif 000006
【図６】
0003691566.tif 000007
【図７】
0003691566.tif 000008
【図８】
0003691566.tif 000009
【図９】
0003691566.tif 000010
【図１０】
0003691566.tif 000011
【図１１】
0003691566.tif 000012
【図１２】
0003691566.tif 000013
【図１３】
0003691566.tif 000014